(57)【要約】【課題】内蔵ストロボにおいて小型で縦位置撮影時にも撮影者の任意のバウンス撮影が可能な撮像装置を提供することを目的とする。【解決手段】ストロボユニット（４）を備える撮像装置であって、ストロボユニット（４）は第一のヒンジ部（５）を有するベース部（１０）と、前記第一のヒンジ部（５）と直交する第二のヒンジ部（１２）を有し、ベース部（１０）に対し、回動可能な発光部（１１）を有することを特徴とする。【選択図】図１
2015166789.tif 000002
【特許請求の範囲】
【請求項１】
ストロボユニット（４）を備える撮像装置であって、
ストロボユニット（４）は第一のヒンジ部（５）を有するベース部（１０）と、
前記第一のヒンジ部（５）と直交する第二のヒンジ部（１２）を有し、
ベース部（１０）に対し、回動可能な発光部（１１）を有することを特徴とする撮像装置。
【請求項２】
前記第二のヒンジ部（１２）は回転角検知部（２３）を有し、前記回転角検知部（２３）が前記発光部（１１）の回転を検知した場合は、ストロボユニットがいかなる位置状態であっても発光可能であることを特徴とする請求項１に記載の撮像装置。
【発明の詳細な説明】
【技術分野】
【０００１】
本発明は、内蔵ストロボにおけるバウンス撮影に関し、特に小型で縦位置撮影時にもバウンス撮影が可能なストロボ機構に関するものである。
【背景技術】
【０００２】
従来より、ストロボからの直接光による撮影の場合、不自然な明るさの画像が撮影されてしまう撮影シーンがあり、その対策として天井や壁などにストロボ光を反射させて撮影を行うバウンスという技法が用いられている。外部接続のストロボの多くは、上記バウンス撮影に対応しストロボ発光方向を任意で変更できる機構が盛り込まれている。
【０００３】
内蔵ストロボにおいても特許文献１に示すように、ストロボ発光部を発光管に平行なヒンジ軸によって回転可能とし、発光方向を変更することでバウンス撮影に対応している。
【０００４】
また、特許文献２に示すように、ストロボ発光部の前方に異形レンズを配置し、ストロボの光を屈折および反射させることで、発光方向を変更する技術も紹介されている。
【先行技術文献】
【特許文献】
【０００５】
【特許文献１】特開２００６‐７８５０６号公報
【特許文献２】特開平１１−２７１８５１号公報
【発明の概要】
【発明が解決しようとする課題】
【０００６】
しかしながら、特許文献１及び２に示す技術では、縦位置による撮影時に、撮影者の側面側に対するバウンス撮影にしか対応できず、撮影の自由度を損ねることとなる。また、特許文献１においては複雑な構成となっており部品点数増加及び機器の大型化を招く。特許文献２においては反射および屈折を可能とするレンズを配置している。よって、小型化が難しく、内蔵ストロボにおいて有効なバウンス技術とは言えない。
【０００７】
本発明は上記の事情に鑑みて成されたものであり、内蔵ストロボにおいて小型で縦位置撮影時にも撮影者の任意のバウンス撮影が可能な撮像装置を提供するものである。
【課題を解決するための手段】
【０００８】
上記目的を達成するために、本発明は、
ストロボユニットを備える撮像装置であって、
ストロボユニットは第一のヒンジ部を有するベース部と
前記第一のヒンジ部と直交する第二のヒンジ部を有し、
ベース部に対し、回動可能な発光部を有することを特徴とする。
【発明の効果】
【０００９】
本発明によれば、内蔵ストロボにおいて、小型で縦位置撮影時にもバウンス撮影が可能なストロボ機構を得ることができる。
【図面の簡単な説明】
【００１０】
【図１】（ａ）は本実施の形態に係る撮像装置の外観正面斜視図、（ｂ）はストロボ撮影時の本実施の形態に係る撮像装置の外観正面斜視図
【図２（ａ）】本実施の形態に係るストロボユニットの外観斜視図
【図２（ｂ）】図２（ａ）のＡ−Ａ断面図
【図２（ｃ）】図２（ａ）のＢ−Ｂ断面図
【図２（ｄ）】図２（ａ）のＢ−Ｂ断面図
【図３】本実施の形態に係る撮像装置の主要な電気的構成を示すブロック図
【図４】本実施形態に係る撮像装置に関する、ストロボ発光方法に関するフローチャート
【発明を実施するための形態】
【００１１】
以下、本発明を図面に基づいて説明する。
【実施例１】
【００１２】
以下、図１〜図４を用いて、本実施の形態に係る撮像装置の構成について説明する。なお、図中で共通する部分には同一の符号を付す。
【００１３】
まず、図１を参照して本実施の形態に係る撮像装置の本体構成について説明する。図１（ａ）は撮像装置の外観正面斜視図、図１（ｂ）はストロボ撮影時の本実施の形態に係る撮像装置の外観正面斜視図を表す。
【００１４】
図１（ａ）、図１（ｂ）において、１は撮像装置本体、２は撮影レンズ、２ａは撮影光軸、３はグリップ部、４はストロボユニット、５は第一のヒンジ部、６は係止部材、７はストロボＳＷ、８は引掛け部を示す。
【００１５】
撮像装置本体１の内部には撮像部２１が配置されており、撮影レンズ２を通過した光は撮像部２１に投影され、画像として出力される。撮像部２１に関しては後に説明する。
【００１６】
グリップ部３は撮影者が撮影時に撮像装置本体１を保持する部位である。
【００１７】
ストロボユニット４は撮影光軸２ａと略交差する方向に回転軸を持つ第一のヒンジ部５によって撮像装置本体１と接続されており、ストロボ撮影を行わない場合は係止部材６がストロボユニット４の外形に成形された引掛け部８に引っかかることで図１（ａ）のようにストロボダウン状態で係止されている。
【００１８】
ストロボＳＷ７は、係止部材６をストロボユニット４の引掛け部８から外れる方向に可動させ、ストロボユニット４は係止部材６が外れることで第一のヒンジ部５に配置されたバネ（不図示）により図１（ｂ）のようにストロボアップ状態に可動する。
【００１９】
次に図２を参照して、ストロボユニット４の詳細な構成について説明する。図２（ａ）はストロボユニットの外観斜視図、図２（ｂ）は図２（ａ）のＡ−Ａ断面図、図２（ｃ）は図２（ａ）のＢ−Ｂ断面図、図２（ｄ）は発光部１１を１８０度回転させ、バウンス撮影状態にした時の図２（ａ）のＢ−Ｂ断面図である。発光部１１に関しては次に説明する。
【００２０】
図２（ａ）、図２（ｂ）、図２（ｃ）、図２（ｄ）において、１０はベース部、１０ａはベース部１０の内面、１０ｂはベース部１０の穴形状、１１は発光部、１１ａは発光部１１の当接面、１２は第二のヒンジ部、１３は発光管、１４は反射部材、１５は透過部材、１６はラチェット軸、１６ａはラチェット軸１６の略筒形状、１６ｂはラチェット軸１６の突起形状、１６ｃはラチェット軸１６の板形状、１７は引っ張りバネ、１８はラチェット歯、１８ａはラチェット歯１８の溝部を示す。
【００２１】
ベース部１０は第一のヒンジ部５を備え、ストロボユニット４を支持する。
【００２２】
またベース部１０と発光部１１の間には、第一のヒンジ部５の回転軸に略直交する方向に回転軸を持った第二のヒンジ部１２が配置されており、発光部１１を支持し、ベース部１０に対して発光部１１を回転可能にする。
【００２３】
また、第二のヒンジ部１２には回転角度を検知する回転角度検知部２３を備える。回転角度検知部２３に関しては後に説明する。
【００２４】
発光部１１は内部に発光管１３、反射部材１４、透過部材１５を備え、電力供給により発光した発光管１３の光は反射部材１４によって透過部材１５の方向に集光され、透過部材１５を透過して撮像装置本体１の外空間に放出される。第一のヒンジ部５および第二のヒンジ部１２は略筒形状をしており、前記撮像装置本体１の内部から電力供給のために配線されるケーブルがベース部１０内を這いまわされ、発光管１３へと接続されるための経路となる。
【００２５】
ベース部１０内部にはラチェット軸１６、引っ張りバネ１７、ラチェット歯１８が配置され、ラチェット機構を備えている。
【００２６】
ラチェット軸１６は一方の端部にラチェッ歯１８を取り囲むように略筒形状１６ａを備えており、略筒形状１６ａの内面側にはラチェット歯１８の溝部１８ａに勘合するよう形成された突起形状１６ｂを有する。
【００２７】
ラチェット歯１８は第一のヒンジ部５の撮像装置本体１側の軸に形成され、なおかつストロボユニット４内のラチェット機構が配置されている側のみに形成されている。
【００２８】
ラチェット軸１６の他方の端部には引っ張りバネ１７と接触する面を有する板形状１６ｃと略球形状１６ｄを有する。
【００２９】
引っ張りバネ１７は一方の端面をラチェット軸１６の板形状１６ｃに固定され、他方の端面をベース部１０の内面１０ａに固定されている。
【００３０】
ベース部１０の引っ張りバネ１７と接触する面の壁には、ラチェット軸１６の略球形状１６ｄが通過することができる穴形状１０ｂを有する。
【００３１】
発光部１１が図２（ｃ）のように通常撮影状態の場合、ラチェット軸１６の略球形状１６ｄは発光部１１の当接面１１ａに当接し、ベース部１０内に押し込まれた状態になる。この際引っ張りバネ１７は引っ張り方向に延ばされるとともに、ラチェット軸１６の突起形状１６ｂはラチェット歯１８に接触しない位置に移動する。よって、ラチェット歯１８は自由可動可能となり、前記係止部材６が前記引掛け部８から外れる可動をした際にバネ力によってストロボアップ状態までラチェット機構が作動することなく回転可能となる。
【００３２】
発光部１１が図２（ｄ）のように、第二のヒンジ部の軸を中心に通常撮影状態から１８０度回転したバウンス状態の場合、ラチェット軸１６の略球形状１６ｄは発光部１１の当接面１１ａから解放され、引っ張りバネ１７の収縮によりラチェット軸１６の突起形状１６ｂがラチェット歯１８の溝部１８ａに勘合する。よって、前記第一のヒンジ部５の軸中心の回転可動時にラチェット機構を有する可動を行うことができる。上記ラチェット機構は本実施形態の一例であり、これに限定するものではない。
【００３３】
上記構成により、撮影者は発光部１１を回転させることでバウンス撮影が可能となる。また、前記ラチェット機構により第一のヒンジ部５のストロボアップ角度を調整し、第二のヒンジ部１２の回転角度を任意の角度に調整することで、縦位置撮影時にも撮影者の任意の方向へのバウンス撮影が可能となる。
【００３４】
次に図３を参照して、撮像装置内部の構成について説明する。図３は本実施の形態に係る撮像装置の主要な電気的構成を示すブロック図である。
【００３５】
図３において、２０は制御部、２１は撮像部、２２はレンズ通信部、２３は回転角検知部、２４はＳＴＵＰ検知部を示す。
【００３６】
撮像装置本体１に内蔵されたマイクロコンピュータからなる制御部２０は、カメラの動作制御および記憶を司るものであり、各要素からの情報の処理や各要素に対する指示および各情報の記憶を行う。また制御部２０には、撮像部２１、レンズ通信部２２、回転角検知部２３、ＳＴＵＰ検知部２４、発光管１３が電気的に接続されている。
【００３７】
制御部２０は、レンズ通信部２２を介して撮影レンズ２と通信を行う。撮像部２１は、被写体像を光電変換する撮像素子を有し、本実施の形態ではＣＭＯＳセンサが用いられるが、その他にもＣＣＤ型、ＣＭＯＳ型及びＣＩＤ型等様々な形態があり、いずれの形態の撮像デバイスを採用してもよい。
【００３８】
制御部２０は前記発光部１１が回転した場合、回転角検知部２３に前記第二のヒンジ部１２の回転角を検知させ、記憶する（本実施形態において、発光部の位置が通常撮影状態での時場合を回転角０°とする）。
【００３９】
また、制御部２０はＳＴＵＰ検知部２４にストロボユニット４がポップアップ状態かどうかの検知をさせる。制御部２０は回転角検知部２３の回転角情報および、ＳＴＵＰ検知部２４のＳＴＵＰ情報に基づき、発光管１３の発光を許可または禁止する。
【００４０】
次に図４は、本実施形態に係る撮像装置に関する、ストロボ発光方法に関するフローチャートである。なお、上記と同記号の説明は割愛する。
【００４１】
図１、図２、図３、図４を参照して、ストロボ発光制御方法に関して説明する。
【００４２】
制御部２０は、Ｓ１０１において回転検知部２３に発光部１１の回転角度を検知させる。回転角度が０°の場合、制御部２０はＳ１０２においてＳＴＵＰ検知部２４にストロボユニット４がポップアップ状態かどうかの検知をさせ、ポップアップ状態でなかった場合、Ｓ１０３にて発光管１３への発光禁止を行う。Ｓ１０１にて回転角度が０°以外の角度、もしくはＳ１０２にてポップアップ状態であった場合、制御部２０はＳ１０４にて発光管１３へ発光許可を行う。
【符号の説明】
【００４３】
１：撮像装置本体
２：撮影レンズ
２ａ：撮影光軸
３：グリップ部
４：ストロボユニット
５：第一のヒンジ部
６：係止部材
７：ストロボＳＷ
１０：ベース部
１０ａ：ベース部１０の内面
１０ｂ：ベース部１０の穴形状
１１：発光部
１１ａ：発光部１１の当接面
１２：第二のヒンジ部
１３：発光管
１４：反射部材
１５：透過部材
１６：ラチェット軸
１６ａ：ラチェット軸１６の略筒形状
１６ｂ：ラチェット軸１６の突起形状
１６ｃ：ラチェット軸１６の板形状
１７：引っ張りバネ
１８：ラチェット歯
１８ａ：ラチェット歯１８の溝部
２０：制御部
２１：撮像部
２２：レンズ通信部
２３：回転角検知部
２４：ＳＴＵＰ検知部
【図１】
2015166789.tif 000003
【図２（ａ）】
2015166789.tif 000004
【図２（ｂ）】
2015166789.tif 000005
【図２（ｃ）】
2015166789.tif 000006
【図２（ｄ）】
2015166789.tif 000007
【図３】
2015166789.tif 000008
【図４】
2015166789.tif 000009